(57)【要約】【課題】日頃の用法と同じ操作でレフィル容器を交換することが可能であると共に、複雑な構造の部品を組み入れることなく、簡単かつ安価な構成でレフィル容器の交換が可能な二重容器を提供する。【解決手段】周壁部５内方に収納空間が形成された外容器２と、収納空間に収納され、周壁部上端５ａから突出する筒部１２及び筒部に雄ねじ部１４が設けられたレフィル容器３と、周壁部上端よりも下方位置に設けられ、周壁部にレフィル容器を係脱自在に係合する係合部１０と、雌ねじ部１８が設けられた環状壁部１６を有し、雌ねじ部を雄ねじ部に締め込む操作で環状壁部下端１６ａが周壁部上端に近づくように下降される蓋体４とを備えると共に、係合部の係合を外すときに環状壁部下端と周壁部上端との間に位置するように装着され、締め込み操作の途中で環状壁部と周壁部とに挟持されて、締め込み操作の操作力をレフィル容器の押上力とするリング状部材２０とを備えた。【選択図】図５
2019196194.tif 000002
【特許請求の範囲】
【請求項１】
筒状の周壁部内方に、上方へ向かって開放される収納空間が区画形成された外容器と、
上記収納空間に挿入されて収納され、上記周壁部の上端から上方へ突出する筒部及び該筒部の外周面に雄ねじ部が設けられたレフィル容器と、
上記外容器の上記周壁部上端よりも下方位置に設けられ、該周壁部に上記レフィル容器を係脱自在に係合する係合部と、
雌ねじ部が内周面に設けられた環状壁部を有し、該雌ねじ部を上記雄ねじ部に締め込む締め込み操作で該環状壁部の下端が上記周壁部上端に近づくように下降され、上記レフィル容器の上記筒部を包囲して上記外容器の上部に装着される蓋体とを備えると共に、
上記係合部の係合を外すときに上記環状壁部下端と上記周壁部上端との間に位置するように装着され、締め込み操作の途中で該環状壁部と該周壁部とに挟持されて、締め込み操作の操作力を、上記雌ねじ部及び上記雄ねじ部を介し、上記レフィル容器の押上力とするリング状部材とを備えたことを特徴とする二重容器。
【請求項２】
前記リング状部材には、装着を案内するために、前記外容器の前記周壁部及び前記蓋体の前記環状壁部の少なくともいずれか一方の外面に係止可能なガイド片が形成されていることを特徴とする請求項１に記載の二重容器。
【請求項３】
前記リング状部材は、前記外容器の底部外装部品であることを特徴とする請求項１または２に記載の二重容器。
【請求項４】
前記レフィル容器には、前記外容器の前記周壁部上端に形成された係止段差部に係止される係止突部が形成されていることを特徴とする請求項１〜３いずれかの項に記載の二重容器。
【発明の詳細な説明】
【技術分野】
【０００１】
本発明は、日頃の用法と同じ操作でレフィル容器を交換することが可能であると共に、複雑な構造の部品を組み入れることなく、簡単かつ安価な構成でレフィル容器の交換が可能な二重容器に関する。
【背景技術】
【０００２】
外容器の収納空間に収納される交換用のレフィル容器を、外容器から抜脱しないように、外容器に保持すると共に、レフィル容器の保持を解除できるようにした二重容器として、特許文献１及び２が知られている。
【０００３】
特許文献１の「レフィル容器」は、外容器内へ内容器を交換可能に設けたレフィル容器であって、外容器と内容器との間隙内へ補助部を設け、補助部を内容器へ接着させると共に、凹凸の抜止め手段を介して補助部を外容器内へ嵌合させ、補助部に回動力が加わることで、抜止め手段による抜止めを解除可能な凹凸の解除手段を補助部下面と外容器内周面に設けて構成されている。
【０００４】
特許文献２の「二重容器」は、有底筒状の内容物収容部を備えるレフィル用の内容器と、有底筒状の内容器収納部を備える外容器と、内容器収納部の上端部に中心軸線の周りで回動可能に取付けられた回動部材とを備え、内容器は、内容器収納部の中心軸線の周りで回動不能に内容器収納部に収納され、回動部材は、外容器の側壁部の内側に配置される筒状壁を有し、筒状壁の内周面に、内容器の周壁部の外周面に設けられた雄ねじ部に対応する雌ねじ部が設けられ、内容器の交換に際し、外容器に対して回動部材を一方側へ回動させることにより、雄ねじ部と雌ねじ部が係合して内容器が上方へ移動するように構成されている。
【先行技術文献】
【特許文献】
【０００５】
【特許文献１】特開２０１０−１７３７２３号公報
【特許文献２】特開２０１６−２２２２８８号公報
【発明の概要】
【発明が解決しようとする課題】
【０００６】
特許文献１では、補助部なる部品を内容器に接着して設けることとし、内容器側の補助部と外容器の両者間で、抜止め手段により抜止めし、解除手段により解除することで内容器の交換を行えるようにしている。
【０００７】
特許文献２では、雌ねじ部を有する回動部材なる部品を外容器に設けることとし、内容器には回動部材の雌ねじ部に対応させて雄ねじ部を形成し、内容器の交換時には、ねじ係合で内容器を上方移動させるようにしている。
【０００８】
いずれの特許文献にあっても、外容器によるレフィル容器の保持を解除して取り出しを可能とするために、内容器に設けられて外容器との間で作用する補助部や、外容器に設けられて内容器との間で作用する回動部材であって、それ自体に抜け止め手段や解除手段、そしてまた、雌ねじ部を形成するなどした複雑な部品を組み込んで構成されていて、構造として大掛かりであると共に、当該複雑な部品の採用により二重容器のコストアップになってしまうという課題があった。
【０００９】
また、補助部を回動したり、回動部材を回動させるなど、日用品としての二重容器の日常的な使用態様である蓋体の開け閉めとは異なる操作が必要となるため、使用者にとっては解り難く、使い勝手がよくないという課題もあった。
【００１０】
本発明は上記従来の課題に鑑みて創案されたものであって、日頃の用法と同じ操作でレフィル容器を交換することが可能であると共に、複雑な構造の部品を組み入れることなく、簡単かつ安価な構成でレフィル容器の交換が可能な二重容器を提供することを目的とする。
【課題を解決するための手段】
【００１１】
本発明にかかる二重容器は、筒状の周壁部内方に、上方へ向かって開放される収納空間が区画形成された外容器と、上記収納空間に挿入されて収納され、上記周壁部の上端から上方へ突出する筒部及び該筒部の外周面に雄ねじ部が設けられたレフィル容器と、上記外容器の上記周壁部上端よりも下方位置に設けられ、該周壁部に上記レフィル容器を係脱自在に係合する係合部と、雌ねじ部が内周面に設けられた環状壁部を有し、該雌ねじ部を上記雄ねじ部に締め込む締め込み操作で該環状壁部の下端が上記周壁部上端に近づくように下降され、上記レフィル容器の上記筒部を包囲して上記外容器の上部に装着される蓋体とを備えると共に、上記係合部の係合を外すときに上記環状壁部下端と上記周壁部上端との間に位置するように装着され、締め込み操作の途中で該環状壁部と該周壁部とに挟持されて、締め込み操作の操作力を、上記雌ねじ部及び上記雄ねじ部を介し、上記レフィル容器の押上力とするリング状部材とを備えたことを特徴とする。
【００１２】
前記リング状部材には、装着を案内するために、前記外容器の前記周壁部及び前記蓋体の前記環状壁部の少なくともいずれか一方の外面に係止可能なガイド片が形成されていることを特徴とする。
【００１３】
前記リング状部材は、前記外容器の底部外装部品であることを特徴とする。
【００１４】
前記レフィル容器には、前記外容器の前記周壁部上端に形成された係止段差部に係止される係止突部が形成されていることを特徴とする。
【発明の効果】
【００１５】
本発明にかかる二重容器にあっては、日頃の用法と同じ操作でレフィル容器を交換することができると共に、複雑な構造の部品を組み入れることなく、簡単かつ安価な構成でレフィル容器を交換することができる。
【図面の簡単な説明】
【００１６】
【図１】本発明に係る二重容器の好適な一実施形態を説明する説明図であって、図１（Ａ）は全体斜視図、図１（Ｂ）は部分垂直断面図である。
【図２】図１に示した二重容器にリング状部材を取り付ける様子を示した斜視図である。
【図３】図１に示した二重容器にリング状部材を装着した後、蓋体をレフィル容器に取り付けた様子を示した説明図であって、図３（Ｃ）は、雄ねじ部に雌ねじ部を軽く締め込んだ状態の要部拡大垂直断面図、図３（Ｄ）は、図３（Ｃ）の状態からさらに締め込みを行って、蓋体の筒状壁部下端がリング状部材の押し上げ用突部上に当接した状態の部分垂直断面図である。
【図４】図１に示した二重容器を図３（Ｄ）の状態としたときの全体斜視図である。
【図５】図１に示した二重容器のレフィル容器を外容器から抜き出し可能とした状態を説明する説明図であって、図５（Ｅ）は、押し上げ用突部が蓋体の環状筒部下端によって外容器の周壁部上端に押し付けられていく様子の部分垂直断面図、図５（Ｆ）は、押し上げ用突部が蓋体の環状壁部と外容器の周壁部とに挟持され、係合部が外れていく様子の要部拡大垂直断面図、図５（Ｇ）は、蓋体の持ち上げにより、レフィル容器が一緒に持ち上がる様子の拡大垂直断面図である。
【図６】図１に示した二重容器であって、外容器から抜き出し可能となったレフィル容器を新しいものと交換する手順を説明する説明図である。
【図７】図１に示した二重容器の変形例を説明する説明図であって、図７（Ａ）は、内容物を使い切ってリング状部材を装着する前の様子を示す部分垂直断面図、図７（Ｂ）は、リング状部材を外容器に装着する様子の斜視図である。
【図８】図１に示した二重容器の他の変形例を説明する説明図であって、図８（Ａ）は、リング状部材を蓋体に装着する様子の斜視図、図８（Ｂ）は、当該蓋体を外容器に被せた様子の部分垂直断面図である。
【図９】図１に示した二重容器のさらに他の変形例を示す部分垂直断面図である。
【図１０】図９に示した変形例が備えるリング状部材を他の部品に組み付ける様子を示す組立図である。
【発明を実施するための形態】
【００１７】
以下に、本発明にかかる二重容器の好適な実施形態を、添付図面を参照して詳細に説明する。図１は、本発明に係る二重容器の好適な一実施形態を説明する説明図であって、図１（Ａ）は全体斜視図、図１（Ｂ）は、部分垂直断面図である。
【００１８】
本実施形態にかかる二重容器１は主に、外容器２と、外容器２内部に交換自在に収納されるレフィル容器３と、レフィル容器３の上方から被せるように装着される蓋体４とから構成される。
【００１９】
外容器２は、筒体状の周壁部５と、周壁部５の下端を封鎖する底壁６とにより、周壁部５の上端５ａに開口部７を有する中空筒体状に形成される。外容器２には、周壁部５で包囲した当該周壁部５内方に収納空間８が区画形成される。収納空間８は、開口部７を介して、上方へ向かって開放されて構成される。
【００２０】
外容器２の周壁部上端５ａには、当該周壁部５を窪ませる形態で、周壁部５上方及び周壁部５内方に臨む係止段差部９が形成される。係止段差部９は、周壁部５の周方向に連続して、環状に形成される。係止段差部９は、周壁部５の周方向に一箇所、もしくは間隔を隔てて複数箇所に形成するようにしてもよい。
【００２１】
外容器２には、係止段差部９が形成された周壁部上端５ａよりも下方位置に、周壁部５の内周面に沿って環状の第１係合部１０ａが形成される（図３（Ｃ）等参照）。第１係合部１０ａは、周壁部５の内周面を凹ませて形成される溝状形態で形成される。第１係合部１０ａは、周壁部５の内周面から収納空間８側へ突出する突条形態で形成してもよい。
【００２２】
レフィル容器３には、液状やクリーム状、粉状等の各種の内容物Ｃが収容される。レフィル容器３は、内容物Ｃを使い切った場合などに外容器２から取り出され、新しいものが外容器２に装着される交換用の容器である。
【００２３】
レフィル容器３は、開口部７を利用して収納空間８に挿入され、外容器２に収納される。レフィル容器３は、収納空間８内に位置される収納部１１と、外容器２の周壁部上端５ａから開口部７を介して上方へ突出される筒部１２とから構成される。筒部１２の上端には、内容物Ｃを取り出すための開口端１３が形成される。
【００２４】
レフィル容器３の収納部１１は、外容器２の収納空間８に収納可能に、当該収納空間８内部に納まる大きさであって、かつ当該収納空間８の水平断面形状に合う水平断面形状の有底筒体状に形成される。他方、レフィル容器３の筒部１２は、円筒体状に形成される。円筒体状の筒部１２には、その外周面に雄ねじ部１４が設けられる。
【００２５】
レフィル容器３の筒部１２と収納部１１との境界位置には、レフィル容器３からその径方向外方へ突出する形態で、レフィル容器３を外容器２に収納するときに外容器２の係止段差部９上に係止される係止突部１５が形成される。
【００２６】
係止突部１５は、係止段差部９が環状に形成されている場合には、それに合わせて、レフィル容器３の周方向に連続して環状に形成される。係止段差部９が、周壁部５に一箇所あるいは複数箇所に形成されている場合には、係止突部１５は係止段差部９の位置に合わせて、レフィル容器３の周方向に一箇所、もしくは間隔を隔てて複数箇所に形成される。
【００２７】
レフィル容器３の収納部１１には、係止突部１５が係止段差部９上に係止されたときに、外容器２の周壁部５に設けられた環状の第１係合部１０ａと向かい合う位置に位置させて、当該第１係合部１０ａに係脱自在に係合する第２係合部１０ｂが形成される。第２係合部１０ｂは、レフィル容器３の外周面に沿って環状に形成される。
【００２８】
本実施形態では、第１係合部１０ａが溝条形態で形成されているので、第２係合部１０ｂは、レフィル容器３の外周面から周壁部５側へ突出する突条形態で形成される。第１係合部１０ａが突条形態である場合には、第２係合部１０ｂは、レフィル容器３の外周面を凹ませて形成される溝状形態で形成される。
【００２９】
これら第１係合部１０ａ及び第２係合部１０ｂは、凹凸係合により、周壁部５にレフィル容器３を係脱自在に係合する係合部１０を構成する。第２係合部１０ｂは、レフィル容器３を開口部７から収納空間８に挿入することにより、第１係合部１０ａと係合し、レフィル容器３を収納空間８から抜き出して取り出すときに、係合が外されて第１係合部１０ａから離脱される。第１及び第２係合部１０ａ，１０ｂは、周壁部５及び収納部１１それぞれの全周に亘って設けることなく、それらの周方向に部分的に設けるだけでもよい。
【００３０】
外容器２及びレフィル容器３は、弾性を有する合成樹脂製で形成することが好ましい。外容器２については、弾性を有する合成樹脂製に代えて、硬質合成樹脂製やガラス製、金属製等の硬質材料で形成してもよい。
【００３１】
外容器２を構成する周壁部５の水平断面形状は、外周面側も内周面側も、円形の他、楕円形や多角形としてもよく、また、外周面側と内周面側の水平断面形状が異なっていてもよい。すなわち、例えば、角柱状の外容器２の内部に形成される収納空間８が円筒状であってもよい。
【００３２】
蓋体４は、環状壁部１６と天部１７とから、下方に向けて開放された有蓋筒体状に形成される。環状壁部１６の内周面には、レフィル容器３の筒部１２に設けた雄ねじ部１４に螺合される雌ねじ部１８が形成される。蓋体４は、これを回して雌ねじ部１８を雄ねじ部１４に締め込む締め込み操作で、環状壁部１６の下端１６ａが周壁部上端５ａに近づくように下降され、締め込み操作が完了することで、周壁部上端５ａから突出するレフィル容器３の開口端１３を覆って気密を確保して、外容器２の上部に装着されるように構成される。
【００３３】
蓋体４の天部１７下面には、締め込み操作を完了したときに、レフィル容器３の筒部１２の開口端１３をシールするためのパッキン１９が設けられる。蓋体４は、雌ねじ部１８が雄ねじ部１４に螺合可能であれば、合成樹脂製など、どのような材質であってもよい。蓋体４の環状壁部１６の水平断面形状は、外容器２の周壁部５の外周面側の水平断面形状に合わせて、どのような形状としてもよい。
【００３４】
続いて、使用していたレフィル容器３を外容器２から取り外し、新しいレフィル容器３に交換する手順に沿って、本実施形態に係る二重容器１を説明する。
【００３５】
図２に示すように、新しいレフィル容器３に交換するときには、使用していたレフィル容器３を取り外すために、蓋体４を外容器２から取り外した状態で、上述した係合部１０の係合を外すために用いられるリング状部材２０を外容器２に取り付ける。リング状部材２０は、係合部１０の係合を外すときに、外容器２の周壁部上端５ａと蓋体４の環状壁部下端１６ａとの間に位置するように装着される。
【００３６】
リング状部材２０は、細帯状の環状体で形成されたリング本体２１と、リング本体２１の上下方向ほぼ真ん中となる高さ位置に、当該リング本体２１の内周面からその内方へ突出させて形成され、周壁部上端５ａと環状壁部下端１６ａとの間に配置される押し上げ用突部２２とから構成される。
【００３７】
リング本体２１は、外容器２及び蓋体４をそれらの外側から取り囲むように、その内径寸法が外容器２及び蓋体４の外径寸法よりも大きく形成される。押し上げ用突部２２は本実施形態にあっては、リング本体２１の周方向全周にわたって環状に形成されている。
【００３８】
そして、リング状部材２０は、押し上げ用突部２２を、その下面が周壁部上端５ａで係止されるように、外容器２の周壁部５上に単に載せることで、外容器２に対し装着されるようになっている。図２では、第１係合部１０ａを、周壁部５に、部分的に設けた場合を示している。
【００３９】
また、リング状部材２０のリング本体２１は、押し上げ用突部２２よりも下方部分が、当該リング状部材２０の外容器２への装着を案内するために、周壁部５の外面に係止可能なガイド片として機能されると共に、押し上げ用突部２２よりも上方部分が、蓋体４への装着、言い換えれば、上述したように下降してくる蓋体４を案内するために、筒状壁部１６の外面に係止可能なガイド片として機能される。
【００４０】
次に、図３（Ｃ）に示すように、リング状部材２０が装着された外容器２に蓋体４を被せ、蓋体４を回して雄ねじ部１４に雌ねじ部１８を締め込む。この図では、軽く締め込んだ状態が示されている。
【００４１】
次に、図３（Ｄ）に示すように、さらに締め込みを行う。この締め込み操作により、蓋体４の環状壁部下端１６ａがリング状部材２０の押し上げ用突部２２上に当接されて、図４に示した状態となる。
【００４２】
次に、図５（Ｅ）に示すように、図３（Ｄ）の状態からさらに蓋体４を回して締め込み操作を行って、レフィル容器３の筒部１２に対する蓋体４の締め込みが完了する前の締め込み操作の途中で、押し上げ用突部２２が、下降してくる蓋体４の環状壁部下端１６ａによって外容器２の周壁部上端５ａに押し付けられるようにする。
【００４３】
これにより、図５（Ｆ）に示すように、図５（Ｅ）で説明した蓋体４の締め込みにより、締め込み操作の途中で、押し上げ用突部２２が蓋体４の環状壁部１６と外容器２の周壁部５とに挟持される。
【００４４】
蓋体４の通常の締め込み操作では、筒部１２の雄ねじ部１４に沿って蓋体４の雌ねじ部１８が締め込まれていくが、リング状部材２０の押し上げ用突部２２が環状壁部１６と周壁部５との間に挟持されるようになると、蓋体４を回す締め込み操作の操作力が、雌ねじ部１８に螺合している雄ねじ部１４をねじ条の傾斜に沿って押し上げるように働き、これにより、蓋体４を回す操作で、雌ねじ部１８の締め込みは不能になることに代わって反対に、雄ねじ部１４が雌ねじ部１８に沿って回り始めることになる。
【００４５】
すなわち、蓋体４の締め込み操作力は、雄ねじ部１４と雌ねじ部１８の螺合を介して、雄ねじ部１４が設けられたレフィル容器３の押し上げ力となる。
【００４６】
このとき、押し上げ用突部２２の高さ寸法分だけ、レフィル容器３の筒部１２の開口端１３と蓋体４のパッキン１９との間に隙間Ｓが形成されるため、この隙間Ｓを利用して、レフィル容器３が押し上げ可能となっている。
【００４７】
外容器２は、リング状部材２０を介して蓋体４に密着しているため、レフィル容器３のみが押し上げられる。外容器２に対し、レフィル容器３が押し上げられることにより、図５（Ｆ）に示すように、係合部１０において、第２係合部１０ｂが第１係合部１０ａから離脱していき、係合が外れていく。
【００４８】
押し上げ用突部２２の高さ寸法は、第２係合部１０ｂが第１係合部１０ａから離脱するのに足りる高さ寸法で形成すれば十分であるが、第２係合部１０ｂが係止段差部９の上方へ達する高さ寸法に形成すれば、外容器２からレフィル容器３をスムーズに抜き出すことができて好ましい。実際的には、蓋体４を完全に締め込んだときに、環状壁部下端１６ａと周壁部上端５ａとの間にクリアランスがある場合、当該クリアランスを加味した高さに設定するようにする。
【００４９】
係合部１０が外れることにより、外容器２の周壁部５からレフィル容器３の収容部１１の抜き出しが可能になると、蓋体４の環状壁部１３と外容器２の周壁部５とによる押し上げ用突部２２の挟持状態が解除され、外容器２に対して蓋体４が自由となるので、次に、図５（Ｇ）に示すように、蓋体４を持ち上げると、環状壁部１３の雌ねじ部１８に螺合した雄ねじ部１４を介して、レフィル容器３も一緒に持ち上がる。
【００５０】
その後は、図６（Ｈ）に示すように、さらに蓋体４を持ち上げていって、レフィル容器３を外容器２から完全に抜き出し、その後、図６（Ｉ）に示すように、リング状部材２０を外容器２から取り外す。次に、図６（Ｊ）に示すように、新しいレフィル容器３を外容器２に挿入して収納し、最後に、図６（Ｋ）に示すように、蓋体４をレフィル容器３の筒部１２に締め付けて外容器２に被せることで、その後の使用に供することができる。
【００５１】
本実施形態に係る二重容器１にあっては、当該二重容器１の日頃の用法で蓋体４を締め込むときに、押し上げ用突部２２を有するリング状部材２０を外容器２の周壁部上端５ａと蓋体４の環状壁部下端１６ａとの間に位置するように装着するだけで、その後の締め込み操作で簡単にレフィル容器３を外容器２から抜き出すことができ、すなわち、蓋体４を閉める操作で容易に交換を行うことができ、使用者にとって解りやすく、優れた使い勝手を確保することができる。従ってまた、取り出すレフィル容器３で手指を汚すこともなく、衛生的に交換することができる。
【００５２】
また、押し上げ用突部２２を有するリング状部材２０という単純な構成部品を外容器２に装着するだけという、簡単かつ安価な構成でレフィル容器３を交換することができる。
【００５３】
上記実施形態では、リング本体２１に押し上げ用突部２２を形成したリング状部材２０を例示して説明したが、リング状部材２０は、筒状壁部１６と周壁部５との間に挟持される押し上げ用突部２２を備えているだけでよく、ガイド片となるリング本体２１を省略して、当該押し上げ用突部２２をリング形態とした部品として構成してもよいことはもちろんである。
【００５４】
リング状部材２０に、ガイド片となるリング本体２１を備えたので、リング状部材２０に対する外容器２や蓋体４の装着を案内することができると同時に、装着時の安定性を確保できて、レフィル容器３の交換をスムーズに行うことができる。
【００５５】
図７には、上記実施形態の変形例が示されている。図７（Ａ）は、内容物Ｃを使い切ってリング状部材２０を装着する前の様子を示す部分垂直断面図、図７（Ｂ）は、リング状部材２０を外容器２に装着する様子の斜視図である。
【００５６】
上記実施形態では、レフィル容器３を交換するときにリング状部材２０を用意し、外容器２の周壁部５上に単に載せる構造であったが、この変形例では、リング状部材２０は、外容器２に常備され、通常使用時と、レフィル容器３の交換時とで、外容器２に対し、異なる２つの位置に設けられて用いられるようになっている。
【００５７】
すなわち、この変形例では、図７（Ｂ）に示すように、押し上げ用突部２２は、リング本体２１の直径方向に、向かい合う配置で二箇所形成されている。また、外容器２の周壁部上端５ａには、押し上げ用突部２２を周壁部５の周方向に係止するために、当該押し上げ用突部２２に対応する位置に切り欠き部２３が形成される。図示例では、切り欠き部２３は、係止段差部９を周壁部５外方へ向けて連通させるように形成されている。
【００５８】
通常使用時には、押し上げ用突部２２が切り欠き部２３に差し入れられて、リング状部材２０は、外容器２に対し、係止段差部９上に載せて設けられる。他方、図７（Ａ）に示したように、内容物Ｃを使い切るなどしたレフィル容器３の交換時には、リング状部材２０は、切り欠き部２３から押し上げ用突部２２が一旦抜き出され、その後、図７（Ｂ）に示すように９０°回転され、押し上げ用突部２２が切り欠き部２３横の周壁部上端５ａ上に載せて設けられるようになっている。
【００５９】
これにより、リング状部材２０は、レフィル容器３の交換時には、押し上げ用突部２２が周壁部上端５ａと環状壁部下端１６ａとの間に挟まれて係合部１０の係合を外す機能を発揮する一方で、通常使用時には、押し上げ用突部２２が周壁部上端５ａ横の、当該周壁部上端５ａよりも高さ位置の低い係止段差部９上に収納される形となって、蓋体４の締め込み操作の邪魔にならずに、外容器２に収納した状態で設けられる、すなわちリング状部材２０を外容器２の付属品として常時取り付けておくことができるようになっている。このような変形例であっても上記実施形態と同様の作用効果を奏することができる。
【００６０】
図８には、上記実施形態の他の変形例が示されている。上記実施形態では、リング状部材２０は、外容器２に装着する場合であったが、この変形例では、上記実施形態と同じ構造を蓋体４とリング状部材２０とに設けて、蓋体４にリング状部材２０を装着するようにしていて、このような変形例であっても上記実施形態と同様の作用効果を奏することができる。
【００６１】
図９及び図１０には、上記実施形態のさらに他の変形例が示されている。この変形例では、上記実施形態のリング状部材２０を、外容器２の底壁６周りに嵌め込まれる底部外装部品した場合である。このようにすれば、リング状部材２０を常時二重容器１にセットしておくことができ、交換時には、外容器２から外してその上に載せて使用することができて、利便性を向上することができる。このような変形例であっても、上記実施形態と同様の作用効果を奏することはもちろんである。
【符号の説明】
【００６２】
１  二重容器
２  外容器
３  レフィル容器
４  蓋体
５  周壁部
５ａ  周壁部上端
８  収納空間
９  係止段差部
１０  係合部
１２  筒部
１４  雄ねじ部
１５  係止突部
１６  環状壁部
１６ａ  環状壁部下端
１８  雌ねじ部
２０  リング状部材
２１  リング本体
【図１】
2019196194.tif 000003
【図２】
2019196194.tif 000004
【図３】
2019196194.tif 000005
【図４】
2019196194.tif 000006
【図５】
2019196194.tif 000007
【図６】
2019196194.tif 000008
【図７】
2019196194.tif 000009
【図８】
2019196194.tif 000010
【図９】
2019196194.tif 000011
【図１０】
2019196194.tif 000012